(57)【要約】      （修正有）【課題】ペットのシャンプーや爪切りなどのため、ペットを簡単且つ好適に拘束できるペット用拘束具を提供する。【解決手段】ペットの前足と後足の間の部分である胴体部の実質的に全体を拘束することで、ペットが動けなくなるという性質を利用したペット用拘束具である。ペットの胴体部の実質的に全体に装着される拘束用部材２０と、その拘束用部材２０によって胴体部を適度な力で締め付ける締付手段３０とを備える。拘束用部材２０が、一対の挟み部材２１、２１によって構成され、一対の挟み部材２１、２１がペットの胴体部の実質的に全体を両側から挟むことでその胴体部を締め付ける。【選択図】図２
0003131759.tif 000002
【実用新案登録請求の範囲】
【請求項１】
ペットの前足と後足の間の部分である胴体部の実質的に全体を拘束することで、ペットが動けなくなるという性質を利用したペット用拘束具であって、
ペットの胴体部の実質的に全体に装着される拘束用部材と、該拘束用部材によって前記胴体部を適度な力で締め付ける締付手段とを備えることを特徴とするペット用拘束具。
【請求項２】
前記拘束用部材が、一対の挟み部材によって構成され、該一対の挟み部材がペットの胴体部の実質的に全体を両側から挟むことで該胴体部を締め付けることを特徴とする請求項１記載のペット用拘束具。
【請求項３】
前記挟み部材は、ペットの胴体部形状に対応して湾曲した複数の爪状部を備えることを特徴とする請求項２記載のペット用拘束具。
【請求項４】
前記締付手段が、一対の挟み部材によってペットの胴体部を両側から適度な力で挟むように付勢する弾性部材であることを特徴とする請求項１、２又は３記載のペット用拘束具。
【請求項５】
前記弾性部材が、トーションバネであることを特徴とする請求項４記載の締付手段。
【請求項６】
前記拘束用部材が、適度な硬度と柔軟性を備える巻付材によって設けられ、ペットの胴体部の実質的に全体に巻き付けられるように形成されていることを特徴とする請求項１記載のペット用拘束具。
【請求項７】
前記締付手段が、ペットの胴体部に巻き付けた巻付材の締付力を調整できるように設けられた面ファスナーであることを特徴とする請求項６記載のペット用拘束具。
【請求項８】
前記巻付材自体が、面ファスナーを構成する材料よって構成されていることを特徴とする請求項６記載のペット用拘束具。
【請求項９】
前記拘束用部材は、ペットの胴体部の長さに合わせて、長さ調整が可能に設けられていることを特徴とする請求項１、２、３、４、５、６、７又は８記載のペット用拘束具。
【請求項１０】
前記拘束用部材は、ペットの胴体部の周囲長さに合わせて、周方向の長さ調整が可能に設けられていることを特徴とする請求項１、２、３、４、５、６、７、８又は９記載のペット用拘束具。
【考案の詳細な説明】
【技術分野】
【０００１】
この考案は、ペットの前足と後足の間の部分である胴体部の実質的に全体を拘束することで、ペットが動けなくなるという性質を利用したペット用拘束具に関する。
【背景技術】
【０００２】
猫などのペットについて、シャンプーや爪切り、又はけがの治療をする際、或いは汚れた足をきれいにする際などにおいて、ペットが暴れないように拘束する必要がある。
このとき、特に猫を手で押さえつける場合など、暴れて、爪で引っ掻かれることや、噛みつかれることがある。また、ペット自身がけがをすることもあり、ペットを拘束することは、飼い主にとっても、ペットにとっても危険なことになっている。
【０００３】
これに対して、例えば、網で構成され、前肢と後肢を根元まで網目に入れ、そのまま体躯全体を網でくるむ事が出来る「中、小型犬用保定具」が開示されている（特許文献１参照）。
また、ペットの胴体を支えるスリングと、該スリングの四隅に接続されるフィンとを有し、該フィンにベルトを接続して吊り下げることにより、前記ペットの４本の足を固定して吊り上げながら拘束することによって、ペットが暴れたり噛みついたり、また引掻いたりできないようにした「ペット拘束具」が開示されている（特許文献２参照）。
なお、これらの器具は、ペットの足を固定するための構成要素を備えるものである。
【特許文献１】特開１１−３３０４８号公報（第１頁、第１図）
【特許文献２】特開２００５−１４３４７９号公報（第１頁、第１図）
【考案の開示】
【考案が解決しようとする課題】
【０００４】
ペット用拘束具に関して解決しようとする問題点は、ペットを簡単且つ好適に拘束できる適切な器具が提供されていない点にある。
そこで本考案の目的は、ペットの前足と後足の間の部分である胴体部の実質的に全体を拘束することで、ペットが動けなくなるという性質を利用し、ペットを簡単且つ好適に拘束できるペット用拘束具を提供することにある。
【課題を解決するための手段】
【０００５】
本考案は、上記目的を達成するために次の構成を備える。
本考案にかかるペット用拘束具の一形態によれば、ペットの前足と後足の間の部分である胴体部の実質的に全体を拘束することで、ペットが動けなくなるという性質を利用したペット用拘束具であって、ペットの胴体部の実質的に全体に装着される拘束用部材と、該拘束用部材によって前記胴体部を適度な力で締め付ける締付手段とを備える。
【０００６】
また、本考案にかかるペット用拘束具の一形態によれば、前記拘束用部材が、一対の挟み部材によって構成され、該一対の挟み部材がペットの胴体部の実質的に全体を両側から挟むことで該胴体部を締め付けることを特徴とすることができる。
また、本考案にかかるペット用拘束具の一形態によれば、前記挟み部材は、ペットの胴体部形状に対応して湾曲した複数の爪状部を備えることを特徴とすることができる。
また、本考案にかかるペット用拘束具の一形態によれば、前記締付手段が、一対の挟み部材によってペットの胴体部を両側から適度な力で挟むように付勢する弾性部材であることを特徴とすることができる。
また、本考案にかかるペット用拘束具の一形態によれば、前記弾性部材が、トーションバネであることを特徴とすることができる。
【０００７】
また、本考案にかかるペット用拘束具の一形態によれば、前記拘束用部材が、適度な硬度と柔軟性を備える巻付材によって設けられ、ペットの胴体部の実質的に全体に巻き付けられるように形成されていることを特徴とすることができる。
また、本考案にかかるペット用拘束具の一形態によれば、前記締付手段が、ペットの胴体部に巻き付けた巻付材の締付力を調整できるように設けられた面ファスナーであることを特徴とすることができる。
また、本考案にかかるペット用拘束具の一形態によれば、前記巻付材自体が、面ファスナーを構成する材料よって構成されていることを特徴とすることができる。
【０００８】
また、本考案にかかるペット用拘束具の一形態によれば、前記拘束用部材は、ペットの胴体部の長さに合わせて、長さ調整が可能に設けられていることを特徴とすることができる。
また、本考案にかかるペット用拘束具の一形態によれば、前記拘束用部材は、ペットの胴体部の周囲長さに合わせて、周方向の長さ調整が可能に設けられていることを特徴とすることができる。
【考案の効果】
【０００９】
本考案のペット用拘束具によれば、ペットの前足と後足の間の部分である胴体部の実質的に全体を拘束することで、ペットが動けなくなるという性質を利用し、ペットを簡単且つ好適に拘束できるという特別顕著な効果を奏する。
【考案を実施するための最良の形態】
【００１０】
以下、本考案に係るペット用拘束具の最良の形態例を添付図面（図１〜３）に基づいて詳細に説明する。
図１は本考案に係るペット用拘束具の形態例を模式的に示す斜視図である。図２はペット用拘束具の形態例を示す斜視図であり、図３はそのペット用拘束具を猫に使用した状態を示す側面図である。
このペット用拘束具は、ペット１０の前足１１と後足１２の間の部分である胴体部１３の実質的に全体を拘束することで、ペット１０が動けなくなるという性質を利用したものである（図３参照）。
【００１１】
２０は拘束用部材であり、ペット１０の胴体部１３の実質的に全体に装着される（図３参照）。本形態例の拘束用部材２０は、一対の挟み部材２１、２１によって構成され、その一対の挟み部材２１、２１がペット１０の胴体部１３の実質的に全体を両側から挟むことでその胴体部１３を締め付ける。
各挟み部材２１は、ペット１０の胴体部形状に対応して湾曲した複数の爪状部２３を備える。本形態例では、熊手状に、５本の爪状部２３が設けられている。
これによって、ペット１０の胴体部１３をその全周にわたって囲むように、且つその胴体部１３の長さ方向については隙間をおいて爪状部２３が配されるように、その胴体部１３に装着される。
胴体部１３の長さ方向については隙間が空いているため、シャンプーの際には、その胴体部１３についても洗うことができる。
【００１２】
また、この拘束用部材２０を構成する挟み部材２１は、ペット１０の胴体部１３の長さＡ（図１参照）に合わせて、長さ調整を可能に設けることができる。具体的には、特定の長さの部分で容易に切断できるように、その部分に、切断を容易にするための溝を設けることができる。また、本体部に対して、延長部がスライドして延長できる構造や、別体に設けられた延長部を固定できる形態としてもよい。
さらに、この拘束用部材２０を構成する挟み部材２１は、ペット１０の胴体部１３の周囲長さに合わせて、周方向の長さ調整を可能に設けることができる。具体的には、特定の周方向長さの部分で簡単に切断できるように、その部分に、切断を容易にするための溝を設けることができる。また、本体部に対して、延長部がスライドして周方向へ延長できる構造や、別体に設けられた延長部を固定できる形態としてもよい。
これによれば、ペット１０のサイズに応じて、ペット用拘束具の大きさを調整できる。
上記のような挟み部材２１は、プラスチックによって好適に成形することができる。
【００１３】
また、このペット用拘束具は、拘束用部材２０によってペット１０の胴体部１３を適度な力で締め付ける締付手段３０を備える。
本形態例の締付手段３０は、一対の挟み部材２１、２１によってペット１０の胴体部１３を両側から適度な力で挟むように付勢する弾性部材を構成要素とする。本形態例の弾性部材は、トーションバネ３１によって構成されている。
このような締付手段３０を有するペット用拘束具は、イメージとして、洗濯挟みや髪挟みを大きくした形態となっている。
なお、弾性部材としては、本形態例のトーションバネ３１に限定されるものではない。例えば、他のスプリング（バネ）や、ゴム状の材料からなる部材を利用してもよく、適度な締付力をペット１０に与えるものであればよい。
【００１４】
次に図２に基づいて、締付手段３０を含む本形態例のペット用拘束具の構造について具体的に説明する。なお、図２は、一対の挟み部材２１、２１が開き方向へある程度回動した状態を示してある。
２４はレバー部であり、一対の挟み部材２１、２１を開閉操作するための手掛かり部として、各挟み部材２１の上部に延設されている。
２５は突起部であり、一対の挟み部材２１、２１を蝶番状に連携させるために、各挟み部材２１の前記レバー部２４の根元部に２個ずつ設けられている。
２６は軸棒であり、前記複数の突起部２５を貫き通して固定されており、一対の挟み部材２１、２１が開閉するための軸部になっている。
この軸棒２６にはトーションバネ３１が嵌っており、そのトーションバネ３１の付勢力は、常時、一対の挟み部材２１、２１が閉まる方向へ作用している。
【００１５】
以上のように構成されているため、一対のレバー部２４、２４に手を掛けて、両者が近接するように押さえると、一対の挟み部材２１、２１が開くように、軸棒２６を中心に回動する。つまり、梃子の原理で、レバー部２４が力点となり、軸棒２６が支点となる。
そして、手を離すと自動的に一対のレバー部２４、２４が閉じる方向へ回動して、ペット１０の胴体部１３を締め付けるように作用する。また、この締付力によって、ペット１０の胴体部１３に装着された状態を維持できる。
【００１６】
以上の構成によるペット用拘束具によれば、一対のレバー部２４、２４を操作するだけで、ペットの胴体部に簡単に装着できる。そして、これによれば、図３に示すように、ペット１０の前足１１と後足１２の間の部分である胴体部１３の実質的に全体を適度な締付力で拘束することができる。
このようにペット１０の胴体部１３を拘束すると、猫等のペット１０は、その性質において動けなくなり、シャンプーや爪切りなどのペットの世話を容易に行なうことができるようになる。
【００１７】
次に図４に基づいて、本考案に係るペット用拘束具の他の形態例を説明する。図４は、拘束用部材として格子状又は網目状に形成された巻付材を用いた形態例を示す斜視図である。
４０は拘束用部材を構成する巻付材であり、適度な硬度と柔軟性を備える部材によって設けられ、ペットの胴体部の実質的に全体に巻き付けられるように形成されている。
この巻付材４０は、例えば、プラスチックで形成され、適度な大きさの格子状に設けられると共に適度な構造的こわさを備えるものであって、ペット１０の胴体部１３に巻き付けられた際に、その部分を強制的に拘束できるものであればよい。
【００１８】
また、４１は面ファスナーであり、ペット１０の胴体部１３に巻き付けた巻付材４０の締付力を調整できる締付手段として設けられている。
この面ファスナー４１によれば、ペット１０の飼い主が、適切な締付力となるように無段階に調整しつつ、巻付材４０をペットの胴体部１３に巻いて好適に固定することができる。
【００１９】
次に、面ファスナーを構成する材料自体が、前記拘束用部材となっているペット用拘束具の形態例について説明する。
図５は、本形態例のペット用拘束具を巻いた状態を示す斜視図であり、図６は、そのペット用拘束具を広げた状態を示す斜視図である。
【００２０】
この形態例では、拘束用部材である巻付材５０が、主に、面ファスナーの一方の構成であるカギ面５１を一面に有する帯状の材料によって設けられている。
この巻付材５０は多数の開口５２を備えるもので、格子状の形状となっているが、本考案はこれに限定されるものではない。例えば、ペットのシャンプーを行う目的などがなければ、開口５２がなくてもよい。面ファスナーのカギ面５１を備える材料は、適度な硬さを有するため、拘束材として好適である。また、そのカギ面５１とは反対の面を、猫などのペットに接触させる接触面５３として使用すればよい。その接触面５３は、面ファスナーとしての機能を有しない面であり、ペットの毛が付着しにくく、好適に使用できる。
【００２１】
この巻付材５０は、合成樹脂によって帯状に形成されているものであり、ハサミで容易に切断できるため、サイズを自由に調整できる。
５５はループ糸状の織りが形成されたループ面の部分であり、面ファスナーの他方の構成であって、巻付材５０の端部としてカギ面５１が設けられた部分に連続して設けられている。このループ面５５とカギ面５１とが合わせられることによって、面同士で相互に貼り付く機能の面ファスナーとなっている。この部分はカギ面５１の設けられた部分よりも柔らかく形成されている。
これによれば、図４に示す形態例と同様に、巻付材５０を適切な締付力でペットの胴体部に巻き付けることができる。
【００２２】
なお、本形態例では、カギ面５１とループ面５５が別々の部分に形成された面ファスナーを利用した場合について説明したが、本考案はこれに限定されるものではない。巻付材としての構造的こわさを適切に確保できれば、カギ状の突起とループ糸状の織りがそれぞれの面に混在するように設けられた面ファスナーを利用してもよいのは勿論である。
【００２３】
以上、本考案につき好適な形態例を挙げて種々説明してきたが、本考案はこの形態例に限定されるものではなく、考案の精神を逸脱しない範囲内で多くの改変を施し得るのは勿論のことである。
【図面の簡単な説明】
【００２４】
【図１】本考案に係るペット用拘束具の形態例を模式的に示す斜視図である。
【図２】本考案に係るペット用拘束具の形態例を示す斜視図である。
【図３】図２のペット用拘束具を猫に使用した状態を示す側面図である。
【図４】本考案に係るペット用拘束具の他の形態例を示す斜視図である。
【図５】本考案に係るペット用拘束具の他の形態例を示す斜視図である。
【図６】図５のペット用拘束具を広げた状態を示す斜視図である。
【符号の説明】
【００２５】
１０  ペット
１１  前足
１２  後足
１３  胴体部
２０  拘束用部材
２１  挟み部材
２３  爪状部
３０  締付手段
３１  トーションバネ
４０  巻付材
４１  面ファスナー
５０  巻付材
【図１】
0003131759.tif 000003
【図２】
0003131759.tif 000004
【図３】
0003131759.tif 000005
【図４】
0003131759.tif 000006
【図５】
0003131759.tif 000007
【図６】
0003131759.tif 000008
【手続補正書】
【提出日】平成19年3月1日(2007.3.1)
【手続補正１】
【補正対象書類名】実用新案登録請求の範囲
【補正対象項目名】全文
【補正方法】変更
【補正の内容】
【実用新案登録請求の範囲】
【請求項１】
ペットの前足と後足の間の部分である胴体部の実質的に全体を拘束することで、ペットが動けなくなるという性質を利用したペット用拘束具であって、
ペットの胴体部の実質的に全体に装着される拘束用部材と、該拘束用部材によって前記胴体部を弾性部材や面ファスナー等の適度な力で締め付ける締付手段とを備えることを特徴とするペット用拘束具。
【請求項２】
前記拘束用部材が、一対の挟み部材によって構成され、該一対の挟み部材がペットの胴体部の実質的に全体を両側から挟むことで該胴体部を締め付けることを特徴とする請求項１記載のペット用拘束具。
【請求項３】
前記挟み部材は、ペットの胴体部形状に対応して湾曲した複数の爪状部を備えることを特徴とする請求項２記載のペット用拘束具。
【請求項４】
前記締付手段が、一対の挟み部材によってペットの胴体部を両側から適度な力で挟むように付勢する弾性部材であることを特徴とする請求項１、２又は３記載のペット用拘束具。
【請求項５】
前記弾性部材が、トーションバネであることを特徴とする請求項４記載の締付手段。
【請求項６】
前記拘束用部材が、適度な硬度と柔軟性を備える巻付材によって設けられ、ペットの胴体部の実質的に全体に巻き付けられるように形成されていることを特徴とする請求項１記載のペット用拘束具。
【請求項７】
前記締付手段が、ペットの胴体部に巻き付けた巻付材の締付力を調整できるように設けられた面ファスナーであることを特徴とする請求項６記載のペット用拘束具。
【請求項８】
前記巻付材自体が、面ファスナーを構成する材料よって構成されていることを特徴とする請求項６記載のペット用拘束具。
【請求項９】
前記拘束用部材は、ペットの胴体部の長さに合わせて、長さ調整が切断等によって可能に設けられていることを特徴とする請求項１、２、３、４、５、６、７又は８記載のペット用拘束具。
【請求項１０】
前記拘束用部材は、ペットの胴体部の周囲長さに合わせて、周方向の長さ調整が切断等によって可能に設けられていることを特徴とする請求項１、２、３、４、５、６、７、８又は９記載のペット用拘束具。